Podtech/llm-jp-corpus-v4-ja_patent huggingface dataset:
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
音伝達のための口腔内装置であって、
ａ．ユーザの歯の任意の部分または歯科生体構造の他の部分の任意の修正または改変を必要とせずに、ユーザの口内に添着可能な口腔内骨伝導音伝達デバイスと、
ｂ．前記口腔内骨伝導音伝達デバイスを含むための筐体と
を備え、
前記筐体は、長期口腔内装のために最適化された形状因子を有することにより、ユーザ快適性を改善し、前記筐体は、第１および第２のチャンバを含み、前記第１および第２のチャンバは、ブリッジによって接続され、かつ、１つ以上の歯に固着されている、
装置。
【請求項２】
ａ．骨伝導音伝達を提供するためのアクチュエータと、
ｂ．前記アクチュエータに連結され、前記アクチュエータに音を生成させる増幅器またはアクチュエータ駆動装置と
を備えている、請求項１に記載の装置。
【請求項３】
前記アクチュエータ駆動装置または増幅器に連結された無線受信機を備えている、請求項２に記載の装置。
【請求項４】
前記アクチュエータ駆動装置または増幅器に連結された音再生装置を備えている、請求項２に記載の装置。
【請求項５】
前記アクチュエータに連結された質量を備えている、請求項２に記載の装置。
【請求項６】
前記質量は、錘、バッテリ、電子モジュールのうちの１つを備えている、請求項５に記載の装置。
【請求項７】
前記アクチュエータは、圧電変換器を備えている、請求項２に記載の装置。
【請求項８】
前記チャンバのうちの１つは、前記アクチュエータと前記増幅器またはアクチュエータ駆動装置を駆動させるための電源を格納している、請求項１に記載の装置。
【請求項９】
前記ブリッジは、前記ブリッジ内に内蔵された電気ケーブルまたはアンテナを備えている、請求項１に記載の装置。
【請求項１０】
前記ブリッジは、ワイヤ補強フレーム、ポリマー材料、ポリマー材料とワイヤ補強フレームの組み合わせのうちの１つを備えている、請求項１に記載の装置。
【請求項１１】
前記チャンバは、約６ｍｍ以下の歯の頬側面から頬までの幅または厚さを備えている、請求項１に記載の装置。
【請求項１２】
前記チャンバは、約２０ｍｍ以下の遠心から近心までの長さを備えている、請求項１に記載の装置。
【請求項１３】
前記チャンバは、約１５ｍｍ以下の咬合から歯肉までの高さを備えている、請求項１に記載の装置。
【請求項１４】
前記チャンバは、約０．５ｍｍ以上の湾曲を伴う表面を備えている、請求項１に記載の装置。
【請求項１５】
前記チャンバは、約３２ミクロン未満の表面粗度指数を備えている、請求項１に記載の装置。
【請求項１６】
前記チャンバは、疎水性生体適合性のポリマー、金属、または材料を備えている、請求項１に記載の装置。
【請求項１７】
前記チャンバは、約５ｍｍ以下の舌側幅を備えている、請求項１に記載の装置。
【請求項１８】
前記チャンバは、約３０ｍｍ以下の舌側長を備えている、請求項１に記載の装置。
【請求項１９】
前記チャンバは、約２５ｍｍ以下の舌側高さを備えている、請求項１に記載の装置。
【請求項２０】
前記チャンバは、前記チャンバと口蓋湾曲との間の空隙を最小限にするために、少なくとも５度の角度を伴う、歯肉表面上の有翼形状を備えている、請求項１に記載の装置。
【請求項２１】
前記チャンバは、約３２ミクロン以下の舌側表面粗度を備えている、請求項１に記載の装置。
【請求項２２】
前記チャンバは、咬合範囲を備えていない、請求項１に記載の装置。
【請求項２３】
前記チャンバを１つ以上の歯に咬持させるための遠心バネを備えている、請求項１に記載の装置。
【請求項２４】
前記遠心バネは、頬側構成要素と舌側構成要素を接続するためのワイヤを備えている、請求項２３に記載の装置。
【請求項２５】
前記遠心バネは、ＮｉＴｉ、Ｓ、プラスチック、または合成材料を備えている、請求項１に記載の装置。
【請求項２６】
前記遠心バネは、約０．０６インチ未満の直径を備えている、請求項１に記載の装置。
【請求項２７】
前記遠心バネは、約０．５ニュートンから３ニュートンの力を提供する、請求項１に記載の装置。
【請求項２８】
前記チャンバは、Ｗ形ブリッジを備えている、請求項１に記載の装置。
【請求項２９】
前記ブリッジは、約３ｍｍ以下の幅を備えている、請求項１に記載の装置。
【請求項３０】
前記ブリッジは、前記装置の両側を接続するために、１つ以上の上顎切歯に対するストラップを備えている、請求項１に記載の装置。
【請求項３１】
前記ストラップは、上顎切歯の歯肉縁から歯肉に対して約１５ｍｍ口蓋までにある、請求項２９に記載の装置。
【請求項３２】
前記ブリッジは患者の歯科または口蓋生体構造に対して形成されるカスタム形状を備えている、請求項１に記載の装置。
【請求項３３】
前記チャンバは、各々約１６ｍｍ以上の寸法を備えている、請求項１に記載の装置。
【請求項３４】
充電またはプログラミングのための１つ以上の接点を備えている、請求項１に記載の装置。
【請求項３５】
前記接点は、歯対向表面以外の任意の表面に位置付けられる、請求項３３に記載の装置。
【請求項３６】
前記接点は、歯対向表面以外の任意の表面において、頬側または舌側に位置付けられる、請求項３３に記載の装置。
【請求項３７】
前記接点は、金、白金、金メッキ、または白金メッキ材料を備えている、請求項３３に記載の装置。
【請求項３８】
前記接点は、座ぐりまたは球形状を備えている、請求項３３に記載の装置。
【請求項３９】
ａ．ユーザの歯の任意の部分または歯科生体構造の他の部分の任意の修正または改変を必要とせずに、ユーザの口内に添着可能な口腔内骨伝導音伝達デバイスと、
ｂ．前記口腔内骨伝導音伝達デバイスを受容するための筐体と
を備え、
前記筐体は、長期口腔内装のために最適化され、かつ、前記ユーザの安全性を改善する形状因子を有し、前記筐体は、第１および第２のチャンバを含み、前記第１および第２のチャンバは、１つ以上の歯に固着され、かつ、ブリッジによって接続されている、
装置。
【請求項４０】
ａ．ユーザの歯の任意の部分または歯科生体構造の他の部分の任意の修正または改変を必要とせずに、ユーザの口内に添着可能な口腔内骨伝導音伝達デバイスと、
ｂ．前記口腔内骨伝導音伝達デバイスを受容するための筐体と
を備え、
前記筐体は、長期口腔内装のために最適化され、かつ、前記ユーザの発話を改善するための形状因子を有し、前記筐体は、第１および第２のチャンバを含み、前記第１および第２のチャンバは、１つ以上の歯に固着され、かつ、ブリッジによって接続されている、
装置。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
試料中の第ＸＩＩＩ因子の測定方法であって、
ａ）前記試料を、
Ｉ．第ＸＩＩＩ因子を第ＸＩＩＩａ因子に活性化するための物質又は物質混合物、
ＩＩ．少なくとも１つのグルタミニル基を有する、第ＸＩＩＩａ因子のための受容体基質、
ＩＩＩ．第ＸＩＩＩａ因子のためのアミノ基供与体基質、
ＩＶ．３５０ｎｍを超える波長に吸収極大を有するＮＡＤ（Ｐ）Ｈ類縁体、及び
Ｖ．アンモニアの存在下に、ＮＡＤ（Ｐ）ＨをＮＡＤ（Ｐ）＋に又はＮＡＤ（Ｐ）Ｈ類縁体を相応するＮＡＤ（Ｐ）＋類縁体に、酸化することができる薬剤
を有する１種以上の試薬と、
混合し、
ｂ）前記試験バッチの吸収の変化を測定する、
測定方法。
【請求項２】
前記ＮＡＤ（Ｐ）Ｈ類縁体がチオ−ＮＡＤ（Ｐ）Ｈである、請求項１に記載の方法。
【請求項３】
前記ＮＡＤ（Ｐ）Ｈ類縁体がセレノ−ＮＡＤ（Ｐ）Ｈである、請求項１に記載の方法。
【請求項４】
工程ａ）において前記試料を更にフィブリン凝集阻害剤と混合する、請求項１〜３のいずれか１項に記載の方法。
【請求項５】
前記第ＸＩＩＩ因子を第ＸＩＩＩａ因子に活性化するための物質がトロンビンである、請求項１〜４のいずれか１項に記載の方法。
【請求項６】
少なくとも１つのグルタミニル基を有する、第ＸＩＩＩａ因子のための、受容体基質が、アミン受容体として少なくとも１つのグルタミン残基を有するポリペプチドである、請求項１〜５のいずれか１項に記載の方法。
【請求項７】
第ＸＩＩＩａ因子のためのアミノ基供与体基質が、第１級アミンである、請求項１〜６のいずれか１項に記載の方法。
【請求項８】
アンモニアの存在下に、ＮＡＤ（Ｐ）ＨをＮＡＤ（Ｐ）＋へ、又はＮＡＤ（Ｐ）Ｈ類縁体を相応するＮＡＤ（Ｐ）＋類縁体へ、酸化することができる薬剤が、酵素及び該酵素のための基質を含有する、請求項１〜７のいずれか１項に記載の方法。
【請求項９】
前記酵素がグルタメートデヒドロゲナーゼであり、前記酵素のための基質がα−ケトグルタレートである、請求項８に記載の方法。
【請求項１０】
工程ａ）において、前記試料を、更に、ヘパリン中和物質又は塩化カルシウムと、混合する、請求項１〜９のいずれか１項に記載の方法。
【請求項１１】
前記試験バッチの吸収変化を、３４０ｎｍ〜４３０ｎｍの波長の光を用いて、測定する、請求項１〜１０のいずれか１項に記載の方法。
【請求項１２】
試料中の第ＸＩＩＩ因子の測定方法における、３５０ｎｍを超える波長に吸収極大を有するＮＡＤ（Ｐ）Ｈ類縁体の、使用。
【請求項１３】
試料中の第ＸＩＩＩ因子の測定方法における、ＮＡＤ（Ｐ）Ｈ類縁体であるチオ−ＮＡＤ（Ｐ）Ｈの使用。
【請求項１４】
試料中の第ＸＩＩＩ因子の測定方法における、ＮＡＤ（Ｐ）Ｈ類縁体であるセレノ−ＮＡＤ（Ｐ）Ｈの使用。
【請求項１５】
試料中の第ＸＩＩＩ因子の測定方法を実施するための試験キットであって、以下の成分：
ａ．第ＸＩＩＩ因子を活性化して第ＸＩＩＩａ因子にする物質又は物質混合物を含有する第１の試薬、
ｂ．以下の成分を含有する第２の試薬、
・第ＸＩＩＩａ因子のための、少なくとも１個のグルタミニル基を有する、少なくとも１種の受容体基質、
・第ＸＩＩＩａ因子のための少なくとも１種のアミノ基供与体基質及び
・アンモニアの存在下に、ＮＡＤ（Ｐ）ＨをＮＡＤ（Ｐ）＋へ、又はＮＡＤ（Ｐ）Ｈ類縁体を相応するＮＡＤ（Ｐ）＋類縁体へ、酸化することができる少なくとも１種の薬剤、
及び
ｃ．３５０ｎｍより長い波長にある吸収極大を有する、少なくとも１種のＮＡＤ（Ｐ）Ｈ類縁体を含有する第３の試薬
を含有する、試験キット。
【請求項１６】
前記第３の試薬がＮＡＤ（Ｐ）Ｈ類縁体であるチオ−ＮＡＤ（Ｐ）Ｈを含有する、請求項１５に記載の試験キット。
【請求項１７】
前記第３の試薬がＮＡＤ（Ｐ）Ｈ類縁体であるセレノ−ＮＡＤ（Ｐ）Ｈを含有する、請求項１５に記載の試験キット。
【請求項１８】
前記第１の試薬が、第ＸＩＩＩ因子を第ＸＩＩＩａ因子に活性化するトロンビン、及び、更に、塩化カルシウム、フィブリン凝集阻害剤又は臭化ヘキサジメトリンを含有する、請求項１５〜１７のいずれか１項に記載の試験キット。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
試験バッチ中のＮＡＤ（Ｐ）Ｈ又はＮＡＤ（Ｐ）Ｈ類縁体の酸化的消費に基づき、活性化された第ＸＩＩＩａ因子のトランスグルタミナーゼ活性を測定し、前記測定された測定値を、参照材料を用いて測定される参照値と比較する、血漿試料中の第ＸＩＩＩ因子の定量的測定方法において、少なくとも、標準に対して低減された第ＸＩＩＩ因子活性を示す参照材料が、血漿からなることを特徴とする、測定方法。
【請求項２】
標準に対して低減された第ＸＩＩＩ因子活性を示す少なくとも１つの参照材料が、標準血漿と第ＸＩＩＩ因子欠失血漿との混合物からなる、請求項１に記載の方法。
【請求項３】
標準に対して低減された第ＸＩＩＩ因子活性を示す少なくとも１つの参照材料が、単離された第ＸＩＩＩ因子が添加されている第ＸＩＩＩ因子欠失血漿からなる、請求項１又は２に記載の方法。
【請求項４】
第ＸＩＩＩ因子活性を示さない参照材料が第ＸＩＩＩ因子欠失血漿からなる、請求項１〜３のいずれか１項に記載の方法。
【請求項５】
１００％の第ＸＩＩＩ因子活性を示す参照材料が標準血漿からなる、請求項１〜４のいずれか１項に記載の方法。
【請求項６】
標準に対して高められた第ＸＩＩＩ因子活性を示す少なくとも１つの参照材料が、単離された第ＸＩＩＩ因子が添加されている標準血漿からなる、請求項１〜５のいずれか１項に記載の方法。
【請求項７】
活性化された第ＸＩＩＩａ因子のトランスグルタミナーゼ活性が試験バッチ中のＮＡＤ（Ｐ）Ｈ類縁体の酸化的消費に基づいて測定され、前記ＮＡＤ（Ｐ）Ｈ類縁体がチオ−ＮＡＤ（Ｐ）Ｈ又はセレノ−ＮＡＤ（Ｐ）Ｈである、請求項１〜６のいずれか１項に記載の方法。
【請求項８】
第ＸＩＩＩ因子の定量的測定方法のための参照材料を調製するための第ＸＩＩＩ因子欠失血漿の使用。
【請求項９】
標準血漿と第ＸＩＩＩ因子欠失血漿との混合物からなることを特徴とする、標準に対して低減された第ＸＩＩＩ因子活性を示す参照材料。
【請求項１０】
凍結乾燥されていることを特徴とする、請求項９に記載の参照材料。
【請求項１１】
請求項９又は１０に記載の、標準に対して低減された第ＸＩＩＩ因子活性を示す参照材料を、少なくとも１つ、有するキット。
【請求項１２】
更に第ＸＩＩＩ因子欠失血漿を備える請求項１１に記載のキット。
【請求項１３】
更に標準血漿を備える請求項１１又は１２に記載のキット。
【請求項１４】
少なくとも１つの標準血漿及び１つの第ＸＩＩＩ因子欠失血漿を、個別のユニットとして、備えるキット。
【請求項１５】
更に、第ＸＩＩＩ因子の定量的測定方法の実施のための少なくとも１つの試薬を備える、請求項１１〜１４のいずれか１項に記載のキット。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
ａ．一定量のステアリドン酸；および
ｂ．少なくとも１種の安定剤
を含んでなり、一定量のω３脂肪酸を有するショートニング組成物。
【請求項２】
ａ．一定量のステアリドン酸；および
ｂ．少なくとも１種の安定剤
を前記ショートニング組成物に添加するステップを含んでなる、ステアリドン酸を使用してショートニング組成物を形成する方法。
【請求項３】
ａ．一定量のステアリドン酸富化ショートニング；および
ｂ．少なくとも１種の安定剤
を含んでなり、一定量のω３脂肪酸を有する食物組成物。
【請求項４】
ａ．一定量のステアリドン酸；および
ｂ．少なくとも１種の安定剤
を含んでなり、一定量のω３脂肪酸を有するナッツバター。
【請求項５】
ａ．一定量のステアリドン酸；および
ｂ．少なくとも１種の安定剤
をナッツバターに添加するステップを含んでなる、ステアリドン酸を使用してナッツバターを形成する方法。
【請求項６】
ａ．一定量のステアリドン酸富化ナッツバター；および
ｂ．少なくとも１種の安定剤
を含んでなり、一定量のω３脂肪酸を有する食物組成物。
【手続補正２】
【補正対象書類名】明細書
【補正対象項目名】０１７６
【補正方法】変更
【補正の内容】
【０１７６】
本発明を例示的実施形態との関連で説明したが、説明を読めば当業者にとってはその様々な修正は明白であるものと理解される。したがって本明細書で開示される発明は、特許請求の範囲内に入るこのような修正を包含することが意図されるものと理解される。
次に、本発明の態様を示す。
１.  ａ．一定量のステアリドン酸；および
ｂ．少なくとも１種の安定剤
を含んでなり、一定量のω３脂肪酸を有するショートニング組成物。
２.  前記少なくとも１種の安定剤が少なくとも１種の抗酸化剤である、上記１に記載のショートニング組成物。
３.  前記ショートニング組成物が、可塑性ショートニング、液体ショートニング、パフペーストリーショートニング、パフペーストリー脂肪、ドライショートニング、ラード、およびそれらの組み合わせからなる群から選択される、上記１および２のいずれか一項に記載のショートニング組成物。
４.  前記ステアリドン酸が、ステアリドン酸富化ダイズ油である、上記１〜３のいずれか一項に記載のショートニング組成物。
５.  前記少なくとも１種の安定剤が、合成抗酸化剤、天然抗酸化剤、リン脂質、およびそれらの組み合わせからなる群から選択される、上記１〜４のいずれか一項に記載のショートニング組成物。
６.  前記少なくとも１種の安定剤が、前記ステアリドン酸の約０．０１％〜約６５重量％の範囲である、上記１〜５のいずれか一項に記載のショートニング組成物。
７.  ａ．一定量のステアリドン酸；および
ｂ．少なくとも１種の安定剤
を前記ショートニング組成物に添加するステップを含んでなる、ステアリドン酸を使用してショートニング組成物を形成する方法。
８.  前記ステアリドン酸が、ショートニング組成物中で必要とされる脂肪の約１％〜約９５％を構成する、上記７に記載の方法。
９.  ａ．一定量のステアリドン酸富化ショートニング；および
ｂ．少なくとも１種の安定剤
を含んでなり、一定量のω３脂肪酸を有する食物組成物。
１０.  前記少なくとも１種の安定剤が少なくとも１種の抗酸化剤である、上記９に記載の食物組成物。
１１.  前記食物組成物が、ベイクド食品、クッキー、生地、焼き菓子、パン、糖菓、マーガリン、バター、およびそれらの組み合わせからなる群から選択される、上記９および１０のいずれか一項に記載の食物組成物。
１２.  前記食物組成物の官能的特性が、ステアリドン酸富化ショートニングを含有しない食物組成物の官能特性に匹敵する、上記９〜１１のいずれか一項に記載の食物組成物。
１３.  ａ．一定量のステアリドン酸；および
ｂ．少なくとも１種の安定剤
を含んでなり、一定量のω３脂肪酸を有するナッツバター。
１４.  前記少なくとも１種の安定剤が少なくとも１種の抗酸化剤である、上記１３に記載のナッツバター。
１５.  ピーナッツバター、アーモンドバター、チョコレートヘーゼルナッツスプレッド、カシューバター、およびそれらの組み合わせからなる群から選択される、上記１３および１４のいずれか一項に記載のナッツバター。
１６.  前記ステアリドン酸が、ステアリドン酸富化ダイズ油、ステアリドン酸富化ダイズ粉、およびそれらの組み合わせからなる群から選択される、上記１３〜１５のいずれか一項に記載のナッツバター。
１７.  前記少なくとも１種の安定剤が、合成抗酸化剤、天然抗酸化剤、リン脂質、およびそれらの組み合わせからなる群から選択される、上記１３〜１６のいずれか一項に記載のナッツバター。
１８.  ａ．一定量のステアリドン酸；および
ｂ．少なくとも１種の安定剤
をナッツバターに添加するステップを含んでなる、ステアリドン酸を使用してナッツバターを形成する方法。
１９.  前記ステアリドン酸が、前記ナッツバター中で必要とされる脂肪の約１％〜約９５％を構成する、上記１８に記載の方法。
２０.  ａ．一定量のステアリドン酸富化ナッツバター；および
ｂ．少なくとも１種の安定剤
を含んでなり、一定量のω３脂肪酸を有する食物組成物。
【手続補正書】
【提出日】平成25年9月13日(2013.9.13)
【手続補正１】
【補正対象書類名】明細書
【補正対象項目名】０１５４
【補正方法】変更
【補正の内容】
【０１５４】
この目的のために、用量投与セクション１２５の少なくとも一部の接触面１２０は、駆動部材１の縦軸１００に対して、０度より大きく９０度より小さい角度で傾いている。そうすることにより、接触面１２０の一部と接触している作動部材が、遠位方向１０３に押されるとき、駆動部材は、第一の回転方向１１０に縦軸１００の周りで回転させられ、一方、作動部材と駆動部材１の間の接触領域は、遠位方向１０３に用量投与セクション１２５に沿って動く。
【手続補正２】
【補正対象書類名】明細書
【補正対象項目名】０２０７
【補正方法】変更
【補正の内容】
【０２０７】
図８Ｂは、プライミング操作中の図４Ａの薬物送達デバイス４を示す。
【手続補正３】
【補正対象書類名】明細書
【補正対象項目名】０２１２
【補正方法】変更
【補正の内容】
【０２１２】
薬物送達デバイス４は、ばね３２によって駆動部材１に向かって押されたランプリング３４を含む。ばね３２はランプリング３４とバイアスリング４４６の間に置かれ、そしてカートリッジホルダ４４の遠位端４４１に向けたカートリッジ４４２上に軸負荷をかける。このように、この実施態様において、ばね３２は、カートリッジホルダ４４上及びランプリング３４上の両方に軸負荷をかけるために働く。この実施態様において、バイアス作用は、駆動部材１上の上下のバイアス面を軸方向に動いているランプリング３４のせいである。従って、本明細書において、ランプリング３４は軸方向に振動し、一方、駆動部材１は回転運動に制約される。それとは対照的、図４において示された実施態様において、駆動部材１は軸方向に振動し、そして回転運動を行い、一方、ランプリング３４はハウジング４２に固定される。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
患者の血液の血液透析治療を行うための機器（１００）と協同で使用するために適する配管セット（１２６）であって、
患者から該機器（１００）のフィルター（１０６）へ血液を供給するための血液流出管（１０２）、
フィルター（１０６）から患者へ血液を戻すための血液流入管（１１４）、および
患者の血液に補充液を与えるために適する、血液流入管（１１４）または血液流出管（１０２）の一方に連結された補充管（１１６）
を含む配管セットにおいて、該補充管（１１６）が、薬物の注入のためのインサート（３０）を含む、前記配管セット。
【請求項２】
フィルター（１０６）から出る排液を排出するための排出管（１０８）、および
透析液をフィルター（１０６）へ供給するための透析液管（１１２）
をさらに含む、請求項１記載の配管セット（１２６）。
【請求項３】
血液流出管（１０２）、排出管（１０８）および補充管（１１６）がそれぞれ、機器（１００）の血液ポンプ（１０４）、排出ポンプ（１１０）および補充ポンプ（１１８）と協同するために適する、請求項１または２記載の配管セット（１２６）。
【請求項４】
薬物を注入するためのインサート（３０）が、補充管（１１６）と血液流入管（１１４）または血液流出管（１０２）との連結部に置かれている、請求項１〜３のいずれか１項記載の配管セット（１２６）。
【請求項５】
補充管（１１６）が、補充管（１１６）から迂回しそして補充管（１１６）と再び連結する補助的分岐（１２０）を含む、請求項１〜４のいずれか１項記載の配管セット（１２６）。
【請求項６】
薬物の注入のためのインサート（３０）が、補助的分岐（１２０）と補充管（１１６）との連結部に置かれている、請求項５記載の配管セット（１２６）。
【請求項７】
請求項１〜６のいずれか１項記載の配管セット（１２６）に含まれるインサート（３０）であって、
補充管（１１６）の流体連続性を確実にするために適する主要ダクト（３１）
治療用物質を含むバイアル（３４）に連結されるために適する、機械的結合手段（３６）および水圧的結合手段（３８）を含む少なくとも１のアクセス点（３２）、および
水圧的結合手段（３８）の無菌性を確実にし、かつバイアル（３４）を連結することができるように破壊されまたは除去されることが意図された膜（４０）
を含む、前記インサート（３０）。
【請求項８】
治療用物質を含むために適するバイアル（３４）であって、
請求項７記載のインサート（３０）のアクセス点（３２）に取り付けられるために適する、機械的結合手段（４２）および水圧的結合手段（４４）、および
水圧的結合手段（４４）の無菌性を確実にするために適し、かつ各アクセス点（３２）にバイアル（３４）を取り付けられるように破壊されまたは除去されることが意図された膜（４６）
を含む、前記バイアル（３４）。
【請求項９】
インサート（３０）のアクセス点（３２）に取り付けられるために適する、第一の機械的結合手段（４２’）および第一の水圧的結合手段（４４’）、および
補充管（１１６）および／または補助的分岐（１２０）に取り付けられるために適する、第二の機械的結合手段（４２”）および第二の水圧的結合手段（４４”）
を含む、請求項８記載のバイアル（３４）。
【請求項１０】
アクセス点（３２）が可動スパイク（４８）を含み、該可動スパイクは、請求項８記載のバイアル（３４）がアクセス点（３２）に取り付けられるとき、
バイアル（３４）の膜（４６）を破壊するために、および
流れをバイアル（３４）内へ偏向するようにインサート（３０）の主要ダクト（３１）を少なくとも部分的に塞ぐために
適する、請求項７記載のインサート（３０）。
【請求項１１】
インサート（３０）が、標準のヘパリン注入器の挿入のために適する形状および大きさの機器（１００）のハウジングに置かれるように、上記標準のヘパリン注入器の形状および大きさを有する、請求項１〜６のいずれか１項記載の配管セット（１２６）。
【手続補正２】
【補正対象書類名】明細書
【補正対象項目名】００１９
【補正方法】変更
【補正の内容】
【００１９】
上記で示した目的および任務は、請求項１に従う配管セットによって、請求項７に従う注入のためのインサートによって、および請求項８に従うバイアルによって達成される。
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
感温性基材であって、
第１の主面及び第２の主面を有し、
自己冷却式のポリマーゲルマトリックスから形成され、かつ
（ａ）前記マトリックスに混合されたか、または（ｂ）前記主面の一方に層として形成された、約３５．０〜４０．５℃の温度範囲での変色感度を有するサーモクロミック色素、インクまたは染料を少なくとも含むことを特徴とする基材。
【請求項２】
請求項１に記載の感温性基材であって、
前記基材の前記第１の主面から前記第２の主面にかけて貫通形成され、かつ前記基材の前記主面上にランダムにまたは所定のパターンで配された複数の孔を有することを特徴とする基材。
【請求項３】
請求項２に記載の感温性基材であって、
前記複数の孔が、注射針またはカニューレの幅に適合するように形成されたことを特徴とする基材。
【請求項４】
請求項１ないし３のいずれかに記載の感温性基材であって、
前記自己冷却式ポリマーゲルが、放熱体上に配置したときに水分が蒸発するヒドロゲルマトリックスであることを特徴とする基材。
【請求項５】
請求項１ないし４のいずれかに記載の感温性基材であって、
前記サーモクロミック着色剤、インクまたは染料が、プロトン受容性色原体、または、コレステロール系の液晶もしくは脂肪酸誘導体の１つを含有しているマイクロカプセルを含むことを特徴とする基材。
【請求項６】
請求項１ないし５のいずれかに記載の感温性基材であって、
前記基材の厚さが、約０．１〜７ｍｍ、望ましくは約０．２５〜３ｍｍであることを特徴とする基材。
【請求項７】
請求項１ないし６のいずれかに記載の感温性基材であって、
前記基材が、色素及び水を０．２５〜１０：１００、望ましくは０．５〜５：１００の範囲の重量比で有する組成物を含むことを特徴とする基材。
【請求項８】
請求項１ないし７のいずれかに記載の感温性基材であって、
前記基材が、前記主面の少なくとも一方に形成されたか、または前記基材中に均等に分布された抗菌剤をさらに含むことを特徴とする基材。
【請求項９】
請求項１に記載の感温性基材であって、
前記基材が、哺乳類の皮膚上に配置したときに前記皮膚に自己粘着することを特徴とする基材。
【請求項１０】
請求項１に記載の感温性基材であって、
前記ポリマーゲルが、哺乳類の皮膚に配置したときに局所的に放出される殺菌剤、鎮痛剤、またはそれらの組み合わせをさらに含むことを特徴とする基材。
【請求項１１】
請求項１０に記載の感温性基材であって、
前記殺菌剤または鎮痛剤が、前記基材における哺乳類の皮膚に接触する主面を覆う層として形成されたことを特徴とする基材。
【請求項１２】
熱画像形成物品であって、
自己冷却式ヒドロゲルポリマーマトリックスから形成され、哺乳類の皮膚上に配置したときに前記皮膚に自己粘着する基材を含み、
前記基材が、
前記基材の第１の主面から第２の主面にかけて貫通する複数の孔を有し、
（ａ）前記ヒドロゲルポリマーマトリックスに混合されたか、または（ｂ）前記主面の一方を被覆する、サーモクロミック色素、インクまたは染料を少なくとも含み、かつ、
哺乳類の皮膚上に配置したときに局所的に放出される殺菌剤、鎮痛剤またはそれらの組み合わせを含んでいることを特徴とする物品。
【請求項１３】
請求項１２に記載の熱画像形成物品であって、
前記基材が、色素及び水を０．２５〜１０：１００の範囲の重量比で有する組成物を含むことを特徴とする物品。
【請求項１４】
請求項１２に記載の熱画像形成物品であって、
前記基材が、皮膚表面の真下の血管の位置を見つけるためのものであることを特徴とする物品。
【請求項１５】
血管の位置を見つけるための方法であって、
約３５．０〜４０．５℃の温度範囲で変色するサーモクロミック色素を含んでいる自己冷却式ヒドロゲルポリマー基材を用意するステップと、
前記ヒドロゲルポリマー基材を、血管が通っている身体部分の素肌に対して配置するステップと、
前記ヒドロゲルポリマー基材で覆われた領域における、温度がより高い身体領域とそれに隣接する温度がより低い身体領域との間の温度勾配により生じる色のコントラストを観察するステップとを含む方法。
【請求項１６】
請求項１５に記載の方法であって、
前記素肌の表面上に配置された前記ポリマー基材によって、血管とその周囲組織との間に温度勾配が存在する状態が最大で約６または７分間に渡って維持されることを特徴とする方法。
【請求項１７】
周囲組織よりも温度が局所的に高い身体領域を熱画像形成する非侵襲的方法であって、
サーモクロミック色素を含む自己冷却式ポリマーゲル基材を用意するステップと、
前記ゲル基材を、哺乳類の身体の放熱部分に配置するステップと、
前記ヒドロゲルポリマー基材で覆われた領域における、温度がより高い身体領域とそれに隣接する温度がより低い身体領域との間の温度勾配により生じる色のコントラストを観察するステップとを含む方法。
【請求項１８】
請求項１５または１７のいずれかに記載の方法であって、
温度がより高い身体領域とそれに隣接する温度がより低い身体領域との間の前記温度勾配が、約０．１〜２℃またはそれ以上であることを特徴とする方法。
【請求項１９】
請求項１５または１７のいずれかに記載の方法であって、
温度がより高い前記身体領域が、癌が増殖している領域であることを特徴とする方法。
【手続補正書】
【提出日】平成25年9月19日(2013.9.19)
【手続補正１】
【補正対象書類名】明細書
【補正対象項目名】００９０
【補正方法】変更
【補正の内容】
【００９０】
図２ｃで示す通り、可動部材２０に使用者から適用される圧力を備えて、用量部材２４、可動部材２０及び可動部材２０の遠位部分２２が、今、一緒に動き、プライミング用流体の投与を完結させる。これは、可動部材２０の遠位端２２と固定部材２６間のバックオフスプリング（明確には示されていないが）、を圧縮する。
【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
カートリッジ（４）を薬物送達デバイス（１）用の本体（２）に固定する方法であって、
以下の
−デバイス（１）の組立中にカートリッジ（４）と本体（２）の間の偶発的相対運動を防止するために、カートリッジ（４）を解除可能な連結部（７）によって本体（２）に固定する工程；
−カートリッジ（４）が恒久的に本体（２）に固定されるように、解除可能な連結部（７）を解除不可能な連結部に不可逆的に改造する工程；
を含んでなり、
ここで解除可能な連結部（７）は連結手段（９）を含んでなり、そして
ここで解除可能な連結部（７）を改造することは、連結手段（９）の少なくとも一部の変形を含んでなる、上記方法。
【請求項２】
カートリッジ（４）が、異なる固定位置において解除可能な連結部（７）によって本体（２）に固定可能である、請求項１に記載の方法。
【請求項３】
駆動部材（６）は本体（２）中に保持され、そしてピストン（５）はカートリッジ（４）中に保持され、そしてカートリッジ（４）及び駆動部材（６）は、解除可能な連結部（７）が改造される前に、ピストン（５）が駆動部材（６）に隣接するように、互いに調整される、請求項１又は請求項２に記載の方法。
【請求項４】
ピストン（５）が駆動部材（６）に隣接するかを検出し、そしてピストン（５）及び駆動部材（６）の隣接後に解除可能な連結部（７）を改造する工程を含んでなる、請求項３に記載の方法。
【請求項５】
解除可能な連結部（７）を改造する工程が、連結手段（９）の少なくとも一部に接着剤を塗布すること含んでなる、請求項１〜４のいずれか１項に記載の方法。
【請求項６】
請求項１〜５のいずれか１項に記載の、カートリッジ（４）を薬物送達デバイス（１）用の本体（２）に恒久的に固定する方法を含んでなる、薬物送達デバイス（１）を組み立てる方法であって、
薬物送達デバイス（１）を組み立てる間に解除可能な連結部（７）の改造が行われる、方法。
【請求項７】
カートリッジ（４）、本体（２）、第１の連結手段（９）及び第２の連結手段（１７）を含んでなる、薬物送達デバイス（１）の組立体であって、第１の連結手段（９）及び第２の連結手段（１７）が、デバイス（１）の組立中にカートリッジ（４）と本体（２）の間の偶発的相対運動を防止するように、カートリッジ（４）を本体（２）に解除可能に固定するのに適する、解除可能な連結部（７）を形成するために機械的に協動するように構成され、
第１の連結手段（９）及び第２の連結手段（１７）が、互いに不可逆的に解除不能に固定され、第１の連結手段（９）及び第２の連結手段（１７）の協動により達成可能な解除可能な連結部（７）が、カートリッジ（４）を本体（２）に不可逆的に固定するための改造される解除可能な連結部であり、そして改造される解除可能な連結部（７）が恒久的にロックされるねじを含む、薬物送達デバイス（１）用の組立体。
【請求項８】
第１の連結手段（９）及び第２の連結手段（１７）が、カートリッジ（４）を本体（２）に不可逆的に固定する、請求項７に記載の組立体。
【請求項９】
解除可能な連結部（７）が調整可能な連結部であり、そしてカートリッジ（４）及び本体（２）が材料ロッキング連結部によって互いに不可逆的に固定される、請求項７又は８に記載の組立体。
【請求項１０】
カートリッジ（４）は、カートリッジ（４）が本体（２）に対して軸方向の運動に抗して不可逆的に固定されるように、本体（２）に不可逆的に固定される、請求項８又は９に記載の組立体。
【請求項１１】
駆動部材（６）が本体（２）中に保持され、ピストン（５）がカートリッジ（４）中に保持され、そして駆動部材（６）がピストン（５）をカートリッジ（４）に対して軸方向に変位させるように構成され、そして駆動部材（６）がピストン（５）に隣接する、請求項７〜１０のいずれか１項に記載の組立体。
【請求項１２】
改造される解除可能な連結部（７）が恒久的にロックされるねじを含む、請求項７〜１０のいずれか１項に記載の組立体。
【請求項１３】
カートリッジホルダ（３）を含んでなる、請求項７〜１２のいずれか１項に記載の組立体であって、カートリッジ（４）がカートリッジホルダ（３）中に保持され、そしてカートリッジホルダ（３）が第１の連結手段（９）及び第２の連結手段（１７）によって不可逆的に本体（２）に固定される、上記組立体。
【手続補正書】
【提出日】平成25年9月17日(2013.9.17)
【手続補正１】
【補正対象書類名】明細書
【補正対象項目名】００９３
【補正方法】変更
【補正の内容】
【００９３】
参照番号：
１：本体；
２：近位端；
３：遠位端；
４：第一のボタン部材；
５：第二のボタン部材；
６：ピストンロッド；
７：ラグ；
８：ガイディングトラック；
１１：駆動スリーブ；
１３：ベアリングパッド；
１４：インジケータ；
１７：動き；
１８：ガイディングトラックの垂直部分；
１９：ガイディングトラックの傾斜部分；
２０：取り外しトラック；
２１：戻り止め；
Ｌ：縦軸；
【手続補正２】
【補正対象書類名】特許請求の範囲
【補正対象項目名】全文
【補正方法】変更
【補正の内容】
【特許請求の範囲】
【請求項１】
−近位端（２）及び遠位端（３）を含んでなる本体（１）、
−少なくとも部分的に本体（１）内に配置され、そして医薬品の投与を容易にするように適合される駆動アセンブリ、
−医薬品を引き続いて投与するための薬物送達デバイスを準備するために駆動アセンブリに作用し、そして薬物送達デバイスの準備が完了した後、本体（１）から取り外し可能であるように適合される第一のボタン部材（４）；
を含んでなる、縦軸（Ｌ）を備えた薬物送達デバイスのアセンブリ。
【請求項２】
第一のボタン部材（４）は、薬物送達デバイスの準備が完了した後、本体（１）から非可逆的に取り外し可能であるように適合される、請求項１に記載のアセンブリ。
【請求項３】
医薬品の投与のために駆動アセンブリに作用する第二のボタン部材（５）を含み、ここで、第二のボタン部材（５）は、薬物送達デバイスの準備が未完了である限り、アクセス不可能である、請求項１又は２に記載のアセンブリ。
【請求項４】
縦軸（Ｌ）を備えた薬物送達デバイスのアセンブリであって、
−近位端（２）及び遠位端（３）を含む本体（１）；
−少なくとも部分的に本体（１）内に配置され、そして医薬品の投与を容易にするように適合される駆動アセンブリ；
−医薬品を投与するための薬物送達デバイスを準備するために駆動アセンブリに作用する第一のボタン部材（４）；
−医薬品を投与するために駆動アセンブリに作用する第二のボタン部材（５）で、薬物送達デバイスの準備が未完了である限り、第一のボタン部材（４）に起因して非機能性である、該第二のボタン部材（５）；
を含む、上記アセンブリ。
【請求項５】
第一のボタン部材（４）は、薬物送達デバイスの準備が未完了である限り、少なくとも部分的にそれをアクセス不可能にするために、第二のボタン部材（５）を包み込む、請求項３又は４に記載のアセンブリ。
【請求項６】
第一のボタン部材（４）は、薬物送達デバイスを準備するために所定の動きで作動するように適合される、請求項１〜５のいずれか１項に記載のアセンブリ。
【請求項７】
本体（１）は少なくとも一つのラグ（７）を含み、そして第一のボタン部材（４）は、少なくとも一つのラグ（７）が案内され、本体（１）に対して第一のボタン部材（４）の動きを予め定める、少なくとも一つのガイディングトラック（８）を含む、請求項１〜６のいずれか１項に記載のアセンブリ。
【請求項８】
第一のボタン部材（４）は少なくとも一つのラグ（７）を含み、そして本体（１）は、少なくとも一つのラグ（７）が案内され、本体（１）に対して第一のボタン部材（４）の動きを予め定める、少なくとも一つのガイディングトラック（８）を含む、請求項１〜７のいずれか１項に記載のアセンブリ。
【請求項９】
少なくとも一つのガイディングトラック（８）が垂直部分（１８）及び傾斜部分（１９）を含み、ここで垂直部分（１８）及び傾斜部分（１９）は、少なくとも一つのラグ（７）を案内するように適用可能であり、垂直部分（１８）は縦軸（Ｌ）に対して垂直に伸び、そして傾斜部分（１９）は、縦軸（Ｌ）に対して斜めに伸び、傾斜部分（１９）は、垂直部分（１８）の後に直接続く、請求項７又は８に記載のアセンブリ。
【請求項１０】
本体（１）及び／又は第一のボタン部材（４）は、少なくとも一つのラグ（７）を案内するために適用可能である少なくとも一つの取り外しトラック（２０）を含み、ここで各々の取り外しトラック（２０）は、一つの傾斜部分（１９）に結び付き、そして結び付いた傾斜部分（１９）が戻り止め（２１）により分離される、請求項７〜９のいずれか１項に記載のアセンブリ。
【請求項１１】
駆動アセンブリは、少なくとも部分的に本体（１）内に配置され、そして本体（１）に対して軸方向に変位可能であるピストンロッド、及び
−本体（１）内に配置され、
−本体（１）に対して軸方向に変位可能であり、
−ピストンロッド（６）に連結され、そして
−薬物送達デバイスを準備するために、第一のボタン部材（４）に連結される、駆動スリーブ（１１）を含む、請求項１〜１０のいずれか１項に記載のアセンブリ。
【請求項１２】
所定の動きが、本体（１）に対して第一のボタン部材（４）の幾分かの回転運動を含む、請求項６〜１１のいずれか１項に記載のアセンブリ。
【請求項１３】
所定の動きが、本体（１）に対して第一のボタン部材（４）の幾分かの軸方向の変位を含む、請求項６〜１２のいずれか１項に記載のアセンブリ。
【請求項１４】
本体（１）に対して第一のボタン部材（４）の所定の動きを表示するための少なくとも一つのインジケータ（１４）を含んでなる、本体（１）及び／又は第一のボタン部材（４）を備えた、請求項６〜１３のいずれか１項に記載のアセンブリ。
【請求項１５】
薬物送達デバイスの準備が完了した後、第一のボタン部材（４）の作動を阻止するように適合された、請求項４〜１４のいずれか１項に記載のアセンブリ。
【請求項１６】
薬物送達デバイスの準備が完了した後、第一のボタン部材（４）の作動が所定の動きとは逆に動くのを阻止するように適合された、請求項４〜１５のいずれか１項に記載のアセンブリ。
【請求項１７】
流体医薬品の所定の用量が第二のボタン部材（５）を作動することにより投与される、請求項１〜１６のいずれか１項に記載のアセンブリ。
【手続補正書】
【提出日】平成25年9月20日(2013.9.20)
【手続補正１】
【補正対象書類名】明細書
【補正対象項目名】００７１
【補正方法】変更
【補正の内容】
【００７１】
薬物送達デバイス１はトラック４を含み、ここで第２の駆動部材３７の外面上で２セットの突出部３１０、３１１は設定及び投薬操作中に案内される。それにより、駆動ユニット３及び主ハウジング２１の相対的動きはトラック４に沿った突出部３１０、３１１のセットの可能な動きによって規定されそして限定される。特に、トラック４は、主ハウジング２１に固定されたインサート２７の遠位及び近位で接触面４００、４０１によってもたらされる。インサート２７は中空スリーブの形状を有し、第２の駆動部材３７を囲む。第１セットの突出部３１０は遠位接触面４００に沿って伸び、第２セットの突出部３１１は近位接触面４０１に沿って伸びる。
【手続補正書】
【提出日】平成25年9月25日(2013.9.25)
【手続補正１】
【補正対象書類名】明細書
【補正対象項目名】００７４
【補正方法】変更
【補正の内容】
【００７４】
ボタン５は、可動ピボット４２に作用する螺旋軌道５２も含む。戻り止めラチェット５３は、準備工程が完了した後、可動ピボット４２の如何なる動きをも留めるように螺旋軌道上に配置される。この目的のために、可動ピボット４２は、ボタン５の螺旋軌道５２を係合している小さな凹部４２１も含む。
【手続補正２】
【補正対象書類名】明細書
【補正対象項目名】００７５
【補正方法】変更
【補正の内容】
【００７５】
医薬品の用量のセットアップ及び投与のための薬物送達デバイスの準備中に、ボタン５は回転され、そして固定されたピボット４６のラグ４６１は第一のチャンネル部分５１１に沿って動かされる。この回転のために、螺旋軌道５２は可動ピボット４２上の凹部４２１に作用し、そのことによって可動ピボット４２を遠位方向に軸方向に駆動する。この操作によって、栓８とピストンロッド４１の間のギャップを閉じるために、並びに、医薬品のプライミング量を排出するために主機構が駆動される。回転運動中に、螺旋表面５５は固定されたピボット４６のバックオフスプリングの部分を係合しそして圧縮する。
【手続補正３】
【補正対象書類名】明細書
【補正対象項目名】００７８
【補正方法】変更
【補正の内容】
【００７８】
従って、図３Ｆは、医薬品の望まれる用量のセットアップ及び投与のために薬物送達デバイスが十分に準備されている、準備完了状態を示す。ここで戻り止めラチェット５３は、可動ピボット４２及びボタン５が剛直にそして恒久的に取り付けられるように可動ピボット４２を留める。ボタン５は、逆止めラチェットが可動ピボット４２の凹部４２１に亘ってカチッと閉じられた後、回転され得ない。使用者は、そうすることによって、軸方向以外の如何なる方向にもボタンを動かすことを防がれる。
【手続補正４】
【補正対象書類名】明細書
【補正対象項目名】０１１９
【補正方法】変更
【補正の内容】
【０１１９】
図１６Ｃは、この実施態様をより詳細に説明する。ボタン５及び駆動スリーブ４２ｂは駆動スリーブ４２ｂの近位端４２０ｂで一緒に恒久的に取り付けられる。親ねじ４１ｂは、説明された通り、駆動スリーブ４２ｂの内表面上のねじ山を係合する。突起４２５ｂは一方で親ねじ４１ｂを、及び他方で親ねじナット４６における又は本体１０における他のそれぞれのチャンネルインターフェイスを係合する。突起４２５ｂは、もしその位置が使用者に見えるならば、表示器として作用し得る。例えば、本体１０はそのような領域において透明であり得る。ボタン５を回転することによって、駆動スリーブ４２ｂは親ねじ４１ｂに作用し、親ねじをデバイスの遠位端に向かって駆動する。同時に、突起４２５ｂはチャンネルインターフェイスに沿って滑り、そうすることによって、純回転運動への、そしてその後純粋な軸方向の動きへのボタンの動きが拒絶される。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
薬剤の固定用量を投与するための注射デバイスであって：
駆動部材（３）を含んでなる駆動機構が少なくとも部分的に取り囲まれるハウジング（２）、
駆動部材（３）を作動させるための投与エレメント（３４）、
を、含んでなり、
ここで、駆動部材（３）の動きが投与エレメント（３４）により作動されるとき、投与エレメント（３４）の動きが駆動部材（３）の動きに等しく、そして、
ここで、用量は、投与エレメント（３４）をハウジング（２）に対して用量設定方向（１０５）に回転することにより設定することができ、そして用量は、投与エレメント（２１）をハウジング（２）の方に押すことにより投与することができる、上記注射デバイス。
【請求項２】
投与エレメント（３４）が駆動部材（３）に対して恒久的に固定される、請求項１に記載の注射デバイス。
【請求項３】
ハウジング（２）に対して単回用量設定方向（１０５）が提供される、請求項１又は２に記載の注射デバイス。
【請求項４】
設定用量が、投与エレメント（３４）を用量設定方向（１０５）と反対側の用量非設定方向（１０６）に回転することにより取り消すことができる、請求項１〜３のいずれか１項に記載の注射デバイス。
【請求項５】
駆動部材（３）とハウジング（２）の間の相対的動きが、駆動部材（３）の一つの上に備えられたトラック（４）、ハウジング（２）、及びハウジング（２）に固定された構成部品で規定される、請求項１〜４のいずれか１項に記載の注射デバイス。
【請求項６】
トラック（４）は、一つ又はそれ以上のセグメント（４０）を含み、各セグメント（４０）は、縦軸（１００）に対して傾斜した用量設定セクション（４１）、及び縦軸（１０
０）に対して用量設定セクション（４１）より傾斜が少ない用量投与セクション（４２）を含んでなる、請求項５に記載の注射デバイス。
【請求項７】
トラック（４）は、縦軸（１００）の周囲の角度位置のみ異なる数個の連続した同一のセグメント（４０）を含む、請求項６に記載の注射デバイス。
【請求項８】
用量設定又は用量投与操作の一つが完了したとき、聴覚的、又は触覚的シグナルを与えるフィードバックエレメントを含んでなる、請求項１〜７のいずれか１項に記載の注射デバイス。
【請求項９】
ハウジング（２）及び駆動部材（３）の所定の相対位置において、駆動部材（３）及びハウジング（２）の、一方向への相対的動きを可能とし、そしてその反対方向への相対的動きを阻止する逆止め機能（４５）を含んでなる、請求項１〜８のいずれか１項に記載の注射デバイス。
【請求項１０】
トラック（４）が連続回路である、請求項５〜９のいずれか１項に記載の注射デバイス。
【請求項１１】
薬剤が含まれるカートリッジ（６）中に配置されるピストン（６１）に作用するピストンロッド（５）が備えられ、ここで、用量を投与中、ピストンロッド（５）の軸方向の変位量が、駆動部材（３）の軸方向の変位量とは異なる、請求項１〜１０のいずれか１項に記載の注射デバイス。
【請求項１２】
用量を投与中、ピストンロッド（５）の軸方向の変位量が駆動部材（３）の軸方向の変位量より少ない、請求項１１に記載の注射デバイス。
【請求項１３】
用量を投与中、ピストンロッド（５）は、ハウジング（２）に対して回転及び並進運動の両方を行う、請求項１１又は１２に記載の注射デバイス。
【請求項１４】
駆動部材（３）は、少なくとも部分的にピストンロッド（５）を取り囲むスリーブの形状を有する、請求項１１〜１３のいずれか１項に記載の注射デバイス。
【請求項１５】
最終の利用可能用量が投与された後、投与エレメント（３４）の設定操作及び投与操作の一つを阻止する停止機能を含んでなる、請求項１〜１４のいずれか１項に記載の注射デバイス。
【請求項１６】
薬剤の固定用量を投与するための単回用量の設定方向（１０５）を備える注射デバイスを操作する方法であって、直接、次々と続く、次の工程：
Ａ）注射デバイス（１）のハウジング（２）に対して投与エレメント（３４）を用量設定方向（１０５）に回転することによって用量を設定する工程、
Ｂ）ハウジング（２）の方に投与エレメント（３４）を押し、ここで、駆動部材（３）の動きが、投与エレメント（３４）により作動されるとき、投与エレメント（３４）の動きが、駆動部材（３）の動きに等しく、それにより工程Ａ）中、又はその完了時に、用量を取り消すことができる工程、
Ｃ）投与エレメント（３４）を用量設定方向（１０５）とは反対方向（１０６）に回転する工程、
を含んでなる上記操作方法。
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
ステント付き心臓弁用搬送装置において、
ハンドルと、
前記ハンドルの遠位端部から延びている細長いシャフトと、
前記細長いシャフトと連結された近位端部及び開いた遠位端部を有する円錐形ハウジングであって、前記円錐形ハウジングの前記近位端部に隣接する第１の内径と前記円錐形ハウジングの前記開いた遠位端部に隣接するより大きい第２の内径とを備えた円錐形管腔をその中に有している円錐形ハウジングと、を備えている、
ことを特徴とする搬送装置。
【請求項２】
前記細長いシャフトは、前記円錐形ハウジングの前記円錐形管腔と前記ハンドルの内部との間に経路を提供する構造になっているシャフト管腔を含んでいる、
請求項１に記載の搬送装置。
【請求項３】
前記円錐形ハウジングは、透明材料から形成されている、
請求項２に記載の搬送装置。
【請求項４】
前記ハンドルは、その近位端部にハンドル管腔を含んでいる、
請求項２に記載の搬送装置。
【請求項５】
前記ハンドル管腔は、前記シャフト管腔と実質的に整列させられている、
請求項４に記載の搬送装置。
【請求項６】
前記ハンドルと作動可能に連結された係合機構を更に備えており、前記係合機構は、係合位置と非係合位置との間で移動する、
請求項５に記載の搬送装置。
【請求項７】
前記係合機構は、前記係合位置と前記非係合位置との間で前記係合機構を動かすための前記ハンドルの外側に延びているトリガーを含んでいる、
請求項６に記載の搬送装置。
【請求項８】
前記トリガーは、前記ハンドルに取り付けられた軸ピンと枢動自在に連結されている、  請求項７に記載の搬送装置。
【請求項９】
前記係合機構は、前記トリガー上の第１の細長い把持部と、前記ハンドル上の第２の細長い把持部と、を含んでいる、
請求項８に記載の搬送装置。
【請求項１０】
前記第２の細長い把持部は、前記ハンドルに対して固定されており、前記第１の細長い把持部は、係合位置と非係合位置との間で前記第２の細長い把持部に対して移動する、
請求項９に記載の搬送装置。
【請求項１１】
前記第１及び第２の細長い把持部は、円筒形状である、
請求項１０に記載の搬送装置。
【請求項１２】
前記トリガーと作動可能に連結された少なくとも１つのトーションスプリングを更に備えており、前記トーションスプリングは、前記係合位置の前記係合機構を付勢している、  請求項１０に記載の搬送装置。
【請求項１３】
前記係合機構を前記非係合位置に係止するよう作動する保持アッセンブリを更に備えている、
請求項１２に記載の搬送装置。
【請求項１４】
前記保持アッセンブリは、前記トリガーの中の保持ピンスロットの内部に受ける構造になっているコイルばね及び保持ピンを含んでいる、
請求項１３に記載の搬送装置。
【請求項１５】
前記ハンドルは、前記係合機構を前記非係合位置に係止する前記保持ピンを受ける構造になっている結合スロットを含んでいる、
請求項１４に記載の搬送装置。
【請求項１６】
前記結合スロットの内部に摺動自在に配置された押しボタンを更に備えており、前記押しボタンを作動させると、前記係合機構を前記非係合位置から動かして前記係合位置へ戻す、請求項１５に記載の搬送装置。
【請求項１７】
流入端部と流出端部を有する支持ステントと、
前記支持ステントの内部に配置され、前記支持ステントと連結される置換心臓弁と、
前記支持ステントの前記流入端部を覆う布被覆部と、
前記布被覆部に縫い込まれる制御縫合糸と、を備えているステント付き心臓弁と組み合わされる、
請求項１の搬送装置。
【請求項１８】
前記布被覆部は、ポリエステルから形成される、
請求項１７に記載の搬送装置。
【請求項１９】
前記支持ステントは、ニチノールから形成される、
請求項１７に記載の搬送装置。
【請求項２０】
前記支持ステントは、複数の支持柱を含んでおり、前記支持柱のそれぞれは、前記置換心臓弁を前記支持ステントと連結するための交連タブを受ける構造になっているスロットを含んでいる、
請求項１７に記載の搬送装置。
【請求項２１】
前記制御縫合糸は、前記布被覆部の複数の縫合糸用開口の中を進められる、
請求項２０に記載の搬送装置。
【請求項２２】
前記布被覆部は、それぞれの対になった隣接する支持柱の間に２つの縫合糸用開口を含んでいる、
請求項２１に記載の搬送装置。
【請求項２３】
前記制御縫合糸の終端部は、連続的な制御縫合糸ループを形成するためにまとめて縛られる、
請求項１７に記載の搬送装置。